(57)【特許請求の範囲】
【請求項１】
互いに揺動開閉自在に連結された第１挟持体と第２挟持体との挟持端部を付勢部材によって閉じ方向に付勢し、第１挟持体と第２挟持体との一方にコード支持部を備えているコードクリップであって、
前記第１挟持体と前記第２挟持体との対向する面に挟まれる位置に、前記第１挟持体に突設した第１連結片と、前記第２挟持体に突設した第２連結片とを揺動軸芯周りで揺動自在に連結した連結部が形成され、
前記コード支持部として、前記第１挟持体と前記第２挟持体との中間に挿通するコードを前記連結部との間に挟み込み圧着支持する圧着片が、前記連結部より前記挟持端部側で、かつ、前記第２挟持体から前記第１挟持体側に突出して形成され、
前記第１連結片において前記圧着片の延出端部に対向する位置に案内面が形成され、この案内面は前記挟持端部が開放状態で前記コードを前記圧着片に案内する形状で、前記挟持端部の閉じ状態で前記圧着片に近接する位置に形成されているコードクリップ。
【請求項２】
前記圧着片の延出端部が、前記連結部における揺動軸芯と平行姿勢で、この揺動軸芯の方向に向かう姿勢で突出成形され、この延出端部と前記連結部との間にコード挿抜開口が形成されている請求項１記載のコードクリップ。
【請求項３】
前記付勢部材が、コイル部と一対の脚部とを有したトーションバネで構成され、第１挟持体の内面で一対の前記第１連結片に挟まれる部位と、前記第２挟持体の内面で前記第２連結片に挟まれる部位とにバネ保持凹部が形成され、第１挟持体の内面と第２挟持体の内面とにバネ支持溝が形成され、前記バネ保持凹部に前記コイル部が配置され、前記第１挟持体のバネ支持溝に前記脚部の一方を嵌め込み、前記第２挟持体のバネ支持溝に前記脚部の他方を嵌め込んでいる請求項１又は２記載のコードクリップ。
【発明の詳細な説明】
【技術分野】
【０００１】
本発明は、互いに揺動開閉自在に連結された第１挟持体と第２挟持体との挟持端部を付勢部材によって閉じ方向に付勢し、第１挟持体と第２挟持体との一方にコード支持部を備えているコードクリップに関する。
【背景技術】
【０００２】
上記のように構成されたコードクリップとして、特許文献１、特許文献２に記載されるものが存在する。
【０００３】
特許文献１では、一対のクリップ片が揺動自在に軸支されると共に、一対のクリップ片（本発明の第１、第２挟持体）の先端のクリップ部が閉じる方向にバネによって付勢されている。一方のクリップ片のクリップ部の他端側の内側には、コードの挿通が可能な通孔が形成され、この通孔の内部に他方のクリップ片に形成した突起を配置することで、通孔の内面と突起とでコードを押圧する構造を備えている。
【０００４】
このコードクリップでは、一対のクリップ片のクリップ部の他端側を内側に押圧することでクリップ部を開放できると同時に、通孔の内部で突起が変位してコードの圧着を開放できるように構成されている。
【０００５】
特許文献２では、一対の挟持片（本発明の第１、第２挟持体）を略Ｃ字型の付勢部によって連結することにより、夫々の挟持片の先端の挟持部が閉じる方向に付勢されている。一対の挟持片の対向する面のうちの一方にはコードを係止するコード係止部が一体形成されている。
【０００６】
【特許文献１】実開昭６０‐１１４４９４号公報  （明細書、図１〜図３）
【特許文献２】特開２００３‐４２１０９号公報  （段落番号〔００２０〕〜〔００２９〕、図１〜図４）
【発明の開示】
【発明が解決しようとする課題】
【０００７】
特許文献１に記載されるコードクリップは、バネの付勢力でコードを押圧して保持するため、クリップの先端が閉じ状態にある場合にはコードを良好に保持するものの、クリップの先端を開放する方向に操作した場合にはコードの押圧力が低下してコードの保持位置が変化しやすいものである。また、この特許文献１では、通孔と突起とを必要とする構成であるため、製造や組み立てに手間が掛かることが考えられる。しかも、通孔と突起とが突出する構造であるため、破損を招きやすいものとなる。
【０００８】
特許文献２に記載されるコードクリップは、コード係止部でコードを挟み込んで保持する構造であるため、特許文献１のように操作と連係してコードの保持位置が変化する現象を招かないものである。しかしながら、この特許文献２では、コード係止部でコードを単純に挟み込んで保持するため、コードに張力等の外力が作用した場合には係止部からコードが外れ、コードクリップの機能を失うことも考えられた。
【０００９】
このような不都合を解消するために、第１挟持体と第２挟持体との一方に対してバネ等の付勢力によってコードを押圧支持するコード支持部を形成することも考えられるが、バネ等の付勢力を用いるものでは、可動部を必要とする等、部品点数の増大を招き、組み立てにも手間が掛かるものとなり改善の余地がある。
【００１０】
本発明の目的は、コードを良好に支持するコードクリップを構成する点にある。
【課題を解決するための手段】
【００１１】
本発明の特徴は、互いに揺動開閉自在に連結された第１挟持体と第２挟持体との挟持端部を付勢部材によって閉じ方向に付勢し、第１挟持体と第２挟持体との一方にコード支持部を備えているコードクリップであって、
前記第１挟持体と前記第２挟持体との対向する面に挟まれる位置に、前記第１挟持体に突設した第１連結片と、前記第２挟持体に突設した第２連結片とを揺動軸芯周りで揺動自在に連結した連結部が形成され、
前記コード支持部として、前記第１挟持体と前記第２挟持体との中間に挿通するコードを前記連結部との間に挟み込み圧着支持する圧着片が、前記連結部より前記挟持端部側で、かつ、前記第２挟持体から前記第１挟持体側に突出して形成され、
前記第１連結片において前記圧着片の延出端部に対向する位置に案内面が形成され、この案内面は前記挟持端部が開放状態で前記コードを前記圧着片に案内する形状で、前記挟持端部の閉じ状態で前記圧着片に近接する位置に形成されている点にある。
【００１２】
この構成により、コード支持部にコードを支持する際には、付勢部材の付勢力に抗して第１挟持体と第２挟持体との挟持端部側を開放側に操作し、この第１挟持体と第２挟持体との間にコードを挿通して圧着片と連結部との間の空間にコードを押し込むことで支持が完了する。また、第１挟持体と第２挟持体との間にコードを挿通して案内面に沿って移動させることで圧着片と連結部との間の空間にコードを押し込むことも可能となる。この後、付勢部材の付勢力によって第１挟持体と第２挟持体との挟持端部が閉じ状態に達した状態では、第１挟持体と第２挟持体とが接近するため、コード支持部からコードが抜け出す方向に外力が作用することがあっても、コードの抜け出しを阻止できる。つまり、本発明では圧着片と連結部との間にコードを挟み込む構造となるので、圧着片のみによってコードを圧着するものに比べて、圧着片の突出量を小さくできる。その結果、圧着片の小型化を図りながらコードを良好に支持するコードクリップが合理的に構成された。
【００１３】
本発明では、前記圧着片の延出端部が、前記連結部における揺動軸芯と平行姿勢で、この揺動軸芯の方向に向かう姿勢で突出成形され、この延出端部と前記連結部との間にコード挿抜開口を形成しても良い。これによると、コード挿抜空間から挿入されたコードに張力等の外力が作用した場合でもコードが連結部との接触により抜け出しが抑制される。
【００１４】
本発明では、前記付勢部材が、コイル部と一対の脚部とを有したトーションバネで構成され、第１挟持体の内面で一対の前記第１連結片に挟まれる部位と、前記第２挟持体の内面で前記第２連結片に挟まれる部位とにバネ保持凹部が形成され、第１挟持体の内面と第２挟持体の内面とにバネ支持溝が形成され、前記バネ保持凹部に前記コイル部が配置され、前記第１挟持体のバネ支持溝に前記脚部の一方を嵌め込み、前記第２挟持体のバネ支持溝に前記脚部の他方を嵌め込んも良い。これによると、第１挟持体と第２挟持体との間にトーションバネを備えることが可能となる。
【発明を実施するための最良の形態】
【００１５】
以下、本発明の実施形態を図面に基づいて説明する。
図１〜図４に示すように、第１挟持体１０と第２挟持体２０とを連結部Ａによって揺動軸芯Ｐ周りで互いに揺動開閉自在に連結すると共に、第１挟持体１０と第２挟持体２０との挟持端部１１、２１を閉じ方向に付勢する付勢部材としてのトーションバネＳを備え、第２挟持体２０にコードＣを支持するコード支持部Ｂを備えてコードクリップが構成されている。
【００１６】
このコードクリップは、携帯型のオーディオ装置のヘッドホンのコードＣ、あるいは、マイクロホンのコードＣ等をコード支持部Ｂに支持した状態で、トーションバネＳの付勢力によって第１挟持体１０と第２挟持体２０との挟持端部１１、２１で衣服の襟やポケット等を挟持することにより、コードＣが自由に振れ動く現象や、垂れ下がる現象を抑制する形態で使用される。
【００１７】
第１挟持体１０と第２挟持体２０との対向する面を内面と称し、この反対側の面を外面と称している。これら第１挟持体１０と第２挟持体２０とは、板状で外周が楕円形となり、中央が外方に滑らかに膨出するように成形されている。
【００１８】
これら第１挟持体１０と第２挟持体２０との楕円の長軸Ｘ方向での一端側を挟持端部１１、２１とし、この挟持端部１１、２１の内面側には平行する２条の鋸歯状突起列１２、２２が突設されている。長軸Ｘ方向での他部側を操作端部１３、２３としており、第１挟持体１０の操作端部１３の外面側には凹部１０Ａが形成されている。
【００１９】
また、第１挟持体１０には、連結部Ａを構成する一対の第１連結片１４が長軸Ｘと平行となる姿勢で内面側に突出形成され、第２挟持体２０には、連結部Ａを構成する一対の第２連結片２４が前記長軸Ｘと平行となる姿勢で内面側に突出形成されている。
【００２０】
一対の第１連結片１４を、前記楕円の短軸Ｙ（揺動軸芯Ｐと平行となる）方向での外方から挟み込む位置に一対の第２連結片２４が形成されている。一対の第２連結片２４には揺動軸芯Ｐと同軸芯の孔部２４Ａが穿設されている。また、一対の第１連結片１４には揺動軸芯Ｐと同軸芯の軸体１４Ａが揺動軸芯Ｐに沿う方向で外方に突設されている。そして、第１連結片１４と第２連結片２４とを弾性変形させて軸体１４Ａを孔部２４Ａに係入させることにより、第１挟持体１０と第２挟持体２０とが揺動軸芯Ｐ周りで互いに揺動自在に連結される（図５を参照）。
【００２１】
尚、第１連結片１４、この第１連結片１４に突設した軸体１４Ａ、第２連結片２４、この第２連結片２４に穿設した孔部２４Ａ夫々で連結部Ａが構成されている。この連結部Ａとしては、第１連結片１４と第２連結片２４と対して揺動軸芯Ｐに沿って貫通する支軸を有する構造を採用しても良い。
【００２２】
第１挟持体１０は、鋸歯状突起列１２と第１連結片１４とが樹脂により一体的に形成されている。これと同様に、第２挟持体２０は、鋸歯状突起列２２と第２連結片２４とが樹脂により一体的に形成されている。
【００２３】
第１挟持体１０の内面で一対の第１連結片１４に挟まれる部位にバネ保持凹部１５が形成されている。また、第２挟持体２０の内面で一対の第２連結片２４に挟まれる部位にバネ保持凹部２５が形成されている。更に、第１挟持体１０と第２挟持体２０との内面のうち連結部Ａの近傍にはバネ支持溝１６、２６が形成されている。
【００２４】
トーションバネＳは、コイル部Ｓａと一対の脚部Ｓｂとを有している。このような構造から、第１連結片１４と第２連結片２４とを弾性変形させて軸体１４Ａを孔部２４Ａに係入させる際には、一対の第１連結片１４に挟まれる位置にトーションバネＳのコイル部Ｓａを配置しておくことで、連結部Ａにおいて第１挟持体１０と第２挟持体２０とを連結した状態では、図５に示すように、第１挟持体１０と第２挟持体２０とのバネ保持凹部１５、２５においてトーションバネＳのコイル部Ｓａを支持すると同時に、トーションバネＳ一対の脚部Ｓｂの一方を第１挟持体１０のバネ支持溝１６に嵌め込み、一対の脚部Ｓｂの他方を第２挟持体２０のバネ支持溝２６に嵌め込む形態で支持される。
【００２５】
本発明では、トーションバネＳに代えて、付勢部材として板バネや、圧縮コイルバネや、樹脂製のバネ材を用いても良い。
【００２６】
第２挟持体２０の内面で連結部Ａより挟持端部２１の方向に変位した位置に、短軸Ｙと平行する姿勢の壁状となる圧着片２７が突出され、この圧着片２７と連結部Ａとの間にコードＣを支持する圧着空間Ｂｓが形成されている。圧着片２７の突出側の延出端部２７Ａが揺動軸芯Ｐと平行姿勢で連結部Ａの方向に突出するように成型され、この突出側の延出端部２７Ａと連結部Ａとの中間にコード挿抜開口Ｂｔが形成されている。
【００２７】
更に、第１連結片１４のうち、コード支持部Ｂに対向する端面を図６（ａ）に示すように円弧状に成形して案内面１４Ｇを形成している。また、揺動軸芯Ｐに沿う方向視において、圧着空間Ｂｓの形状が、支持対象のコードＣの直径Ｄより僅かに短い直径となるように形成され、コードＣの被覆の弾性変形と、圧着片２７の弾性変形とにより、この圧着空間ＢｓにコードＣを圧着支持できるように構成している。
【００２８】
このような構成から、挟持端部１１、２１が、図６（ｂ）に示す挟持位置（閉じ状態）にある場合には、コード挿抜開口Ｂｔを第１連結片１４が覆う位置にあるので、圧着空間Ｂｓで圧着支持されているコードＣに張力が作用する等、外力が作用した場合でも、コードＣが圧着空間Ｂｓから抜出る不都合が抑制される。
【００２９】
本発明では、第１挟持体１０に対してコード支持部Ｂを形成しても良い。この場合、第１挟持体１０に一体形成した圧着片と連結部Ａとの間に圧着空間Ｂｓが形成され、圧着片の延出端部と連結部Ａとの中間にコード挿抜開口Ｂｔが形成され、第２連結片２４に対して案内面が形成されることになる。
【００３０】
このようにコードクリップが構成されているので、図６（ａ）に示すように、第１挟持体１０と第２挟持体２０との操作端部１３、２３を近接させるようにオペレータが指で摘んで押圧力を作用させる（開放操作する）ことにより、第１挟持体１０と第２挟持体２０との挟持端部１１、２１が離間する。このように押圧力を作用させる際には、第１挟持体１０の外面の操作端部１３に形成された凹部１０Ａにオペレータの指を嵌め込むことにより指が滑ることがない。
【００３１】
次に、挟持端部１１、２１の間からコードＣを挿入し、第１連結片１４の案内面１４Ｇに接触させる形態で、コードＣを送り込むことにより、圧着片２７の延出端部２７Ａのコード挿抜開口Ｂｔから圧着空間Ｂｓにコードが送り込まれる。圧着空間ＢｓにおいてコードＣは圧着片２７と連結部Ａの第２連結片２４の端面との間に挟み込まれ、摩擦保持される。
【００３２】
このようにコードＣをコード支持部Ｂに支持した状態では、コードＣの姿勢が揺動軸芯Ｐと平行する姿勢となる。そして、トーションバネＳの付勢力によって第１挟持体１０と第２挟持体２０との挟持端部１１、２１を閉じ状態にして衣服の襟やポケット等を挟持することで、このコードクリップによってコードＣの垂れ下がりが抑制される。
【図面の簡単な説明】
【００３３】
【図１】使用状態のコードクリップの斜視図
【図２】コードクリップの分解斜視図
【図３】コードクリップの側面図
【図４】第１挟持体と第２挟持体を展開した図
【図５】揺動軸芯部位を示す断面図
【図６】開放状態と閉じ状態とのコードクリップの断面図
【符号の説明】
【００３４】
１０          第１挟持体
１１          挟持端部
１４          第１連結片
１４Ｇ        案内面
２０          第２挟持体
２１          挟持端部
２４          第２連結片
２７          圧着片
２７Ａ        延出端部
Ａ            連結部
Ｂ            コード支持部
Ｂｔ          コード挿抜開口
Ｃ            コード
Ｐ            揺動軸芯
Ｓ            付勢部材（トーションバネ）
【図１】
0004707722.tif 000002
【図２】
0004707722.tif 000003
【図３】
0004707722.tif 000004
【図４】
0004707722.tif 000005
【図５】
0004707722.tif 000006
【図６】
0004707722.tif 000007